(57)【要約】      （修正有）【課題】バッテリを用いることなく、点射方式の玩具銃の使用感を実銃に近づける。【解決手段】トリガ１０５とボルトシアとの間にトリガシアを介在させる。トリガ１０５の引き操作によってボルトシアとボルト１２１との係止がはずれる。ボルト１２１は、玩具銃１０１の前後方向に往復運動し、一往復する間に弁部１３０を開閉し、弾丸Ｂを発射させる。トリガ１０５が引かれると、ストッパ爪と駆動爪とがラチェット歯車構造を有する制御板に噛合する。駆動爪は、ボルト１２１の往復運動に伴って、制御板を正方向に回動変位させる。玩具銃１０１が弾丸Ｂを所定数発射すると、シアバーが変位する。シアバーは、トリガシアを動かしてボルトシアから離反させる。【選択図】図２
2011002200.tif 000002
【特許請求の範囲】
【請求項１】
弾丸を発射するための発射位置と非発射位置との間で変位自在に設けられるトリガと、
バレルと圧縮ガスで充満される気室との連通箇所を開閉する弁部と、
スライド自在に設けられ、動力付与部が付与する動力を受けて往復運動し、一往復する間に前記弁部を開閉するボルトと、
前記ボルトの往復運動を阻止する阻止位置と当該往復運動を許容する許容位置との間で変位自在に設けられるボルトシアと、
正逆両方向に回動自在に設けられる回動部材と、
前記回動部材に対し近接離反自在に設けられ、近接状態において当該回動部材の正方向への回動を許容し逆方向への回動を規制する逆回動防止部と、
正方向に回動変位した前記回動部材に対し初期位置に復帰させようとする逆方向の回動力を与える回動力付与部と、
前記回動部材に対し近接離反自在に設けられ、近接状態において前記ボルトの往復運動に応じて往復運動しその行程で前記回動部材を正方向に回動変位させるボルト動作伝達部と、
前記トリガの前記発射位置への変位に応じて前記逆回動防止部及び前記ボルト動作伝達部を前記回動部材に近接させ、前記トリガの前記非発射位置への変位に応じて前記逆回動防止部及び前記ボルト動作伝達部を前記回動部材から離反させるトリガ動作伝達部と、
前記トリガの前記発射位置への変位に応じて前記ボルトシアを前記許容位置に位置付け、前記トリガの前記非発射位置への変位と前記ボルト動作伝達部の所定回数分の往復運動による前記回動部材の前記初期位置からの回動変位の少なくとも一方に応じて当該ボルトシアを前記阻止位置に位置付けるボルト阻止部と、
を備える点射方式の玩具銃。
【請求項２】
前記回動部材は、ラチェット歯車構造を有し、
前記逆回動防止部は、前記回動部材に噛合するストッパ爪を含み、
前記ボルト動作伝達部は、
前記逆回動防止部が噛合する箇所とは異なる箇所で前記回動部材に噛合する駆動爪と、
前記ボルトの側面に当接し、前記ボルトに連動して前記駆動爪を動かす溝カムと、
を含み、
前記ボルトシアは、回動自在に設けられ、
前記ボルト阻止部は、
前記ボルトシアを前記阻止位置に向かう方向に回動させるボルトシアスプリングと、
一端側は前記トリガに回動自在に連結し、他端側は、前記トリガが前記発射位置にあるときは前記ボルトシアを前記許容位置に回動させる向きに押圧し当該トリガが前記非発射位置にあるときは前記ボルトシアから離反するトリガシアと、
前記回動部材に設けられるシアバー当接部と、
前記シアバー当接部が当接する被当接部を有し、前記シアバー当接部に押されると前記トリガシアを回動し、当該トリガシアの他端を前記ボルトシアから離反させるシアバーと、
前記トリガシアを前記シアバーによる回動とは反対の方向に回動させるトリガシアスプリングと、
を含む、
請求項１記載の点射方式の玩具銃。
【発明の詳細な説明】
【技術分野】
【０００１】
本発明は、使用者がトリガを引くことにより圧縮ガスによる圧力を弾丸に与えて発射する点射（バースト）方式の玩具銃に関する。
【背景技術】
【０００２】
従来、自宅内での的当て（プリンキング；plinking）など、玩具銃の愛好者が遊戯目的で使用する点射（バースト）方式の玩具銃がある。ここに点射とは、一回引き金を引く毎に予め定められた複数個の弾丸を連続発射することをいう。
例えば、特許文献１に記載の電動ガンは、セクターギアを駆動するモータと、このモータへの通電を行うスイッチング部と、弾丸の連続発射回数を指定するためのカウンタとを備える。この電動ガンにおいて、使用者は、予めカウンタで連続発射回数を指定しておく。この状態で使用者が操作子（トリガ）を引くと、モータが駆動し、電動ガンは、指定した連続発射回数分の弾丸の連続発射を行う。
また、特許文献２に記載の玩具銃は、圧縮ガスを用いて弾丸を発射するエアガンである。この玩具銃は、以下に述べるように作動する。
すなわち、使用者が特許文献２に記載の玩具銃のトリガを引くと、ハンマーを係止していたシアーが動く。その結果、ハンマーとシアーとの係止が解かれ、ハンマーが放出バルブを打撃してバルブを開放し、蓄圧されていたガスが放出されて弾丸が発射される。これと前後して、ガスの圧力によってスライド（遊底）が後退する。そして、スライドは、ハンマーに当接してこれを回動させる。これにより、ハンマーが起こされた状態にする。
また、この玩具銃では、スライドは後退して第１レバーに当接し、これを下方に回動させる。カウンタープレートの刻みに歯合していたフックバーは、スライドの後退と同時に回動して、次の刻みへ移動して歯合する。これにより、カウンタープレートは押し下げられる。
特許文献２に記載の玩具銃では、ブローバックをするたびに、上記の作動が繰り返される。予め決められた回数のブローバックが終わると、シアーがハンマーを係止し、カウンタープレートの刻みとフックバーとの歯合が解ける。これによってバーストが終了する。
【先行技術文献】
【特許文献】
【０００３】
【特許文献１】特開２００７−１０１０１５公報
【特許文献２】特開平８−１４５５９９公報
【発明の概要】
【発明が解決しようとする課題】
【０００４】
しかしながら、特許文献１に記載された電動ガンのような玩具銃は、バッテリや回路、モータ等の部品を備えているため、製造コストは高くなってしまう。
【０００５】
さらに、電動によってＢＢ弾のような弾丸を発射する玩具銃では、弾丸を発射する場合の衝撃が弱い。このため、使用者がこのような玩具銃を使った場合、使用者は、まるで実銃を使っているかのような満足感を得ることはできない。
特許文献２に記載の玩具銃は、圧縮ガスを用いて弾丸を発射するものであり、実銃類似の使用感を使用者が得ることができる点で、特許文献１の玩具銃に比して優れている。しかしながら、特許文献２に記載の銃では、発射回数の制御をカウンタープレートの押し下げによって行うことから、機構が縦長になってしまい、製品設計上の制約となる。
【０００６】
本発明の目的は、バッテリを用いることなく、バースト射撃時に実銃に類似する使用感を有しつつ、設計上制約の少ない点射方式の玩具銃を実現することである。
【課題を解決するための手段】
【０００７】
本発明の点射方式の玩具銃は、弾丸を発射するための発射位置と非発射位置との間で変位自在に設けられるトリガと、バレルと圧縮ガスで充満される気室との連通箇所を開閉する弁部と、スライド自在に設けられ、動力付与部が付与する動力を受けて往復運動し、一往復する間に前記弁部を開閉するボルトと、前記ボルトの往復運動を阻止する阻止位置と当該往復運動を許容する許容位置との間で変位自在に設けられるボルトシアと、正逆両方向に回動自在に設けられる回動部材と、前記回動部材に対し近接離反自在に設けられ、近接状態において当該回動部材の正方向への回動を許容し逆方向への回動を規制する逆回動防止部と、正方向に回動変位した前記回動部材に対し初期位置に復帰させようとする逆方向の回動力を与える回動力付与部と、前記回動部材に対し近接離反自在に設けられ、近接状態において前記ボルトの往復運動に応じて往復運動しその行程で前記回動部材を正方向に回動変位させるボルト動作伝達部と、前記トリガの前記発射位置への変位に応じて前記逆回動防止部及び前記ボルト動作伝達部を前記回動部材に近接させ、前記トリガの前記非発射位置への変位に応じて前記逆回動防止部及び前記ボルト動作伝達部を前記回動部材から離反させるトリガ動作伝達部と、前記トリガの前記発射位置への変位に応じて前記ボルトシアを前記許容位置に位置付け、前記トリガの前記非発射位置への変位と前記ボルト動作伝達部の所定回数分の往復運動による前記回動部材の前記初期位置からの回動変位の少なくとも一方に応じて当該ボルトシアを前記阻止位置に位置付けるボルト阻止部と、を備える。
【発明の効果】
【０００８】
本発明によれば、使用者がトリガを引くことにより、ボルトは所定回数往復して弁部の開閉を立て続けに行い、ボルト阻止部はその後にボルトの往復運動を阻止するため、バッテリを用いることなく点射方式の玩具銃を実現することができる。また、使用者がトリガを引くと圧縮ガスの圧力でバレル内の弾丸に力が加わり玩具銃から弾丸が発射され、これと前後して、ガス圧によりボルトが後退する。ボルトはある程度の重量を有しており、このボルトが急速に後退するため、使用者は物理的衝撃を感じる（リコイルショック）。リコイルショックは、実銃の使用時にも体感するものであり、使用者は、実銃に類似する使用感を享受することができる。
【０００９】
また、本発明は、各部品が階層的に配置されることにより、コンパクトな機構となっている。そのため、設計上の制約も少ない。
【図面の簡単な説明】
【００１０】
【図１】玩具銃の左側面図である。
【図２】玩具銃の内部構造を示す左断面図である。
【図３】弁部が閉じている状態を示す左側面図である。
【図４】弁部が開いている状態を示す左側面図である。
【図５】玩具銃のトリガ付近の内部構造を拡大して示す左側面図である。
【図６】制御板及びシアバーを示す左側面図である。
【図７】図２の状態に続いてトリガが引かれた状態の玩具銃の内部構造を示す左側面図である。
【図８】図７の状態に続いてボルトが前方に移動した状態の玩具銃の内部構造を示す左側面図である。
【図９】図８の状態に続いて摺動突起が押された状態の玩具銃の内部構造を示す左側面図である。
【図１０】図９の状態に続いてボルトが後退した状態の玩具銃の内部構造を示す左側面図である。
【図１１】６発目の弾丸が発射される直前の玩具銃の内部構造を示す左側面図である。
【発明を実施するための形態】
【００１１】
実施の一形態を、図１ないし図１１に基づいて説明する。
【００１２】
図１は、玩具銃１０１の左側面図である。本実施の形態の玩具銃１０１は、ガスボンベ１０２を取り付けて用いるもので、このガスボンベ１０２に封入された圧縮ガスの圧力を弾丸Ｂに与えて、弾丸を銃口１０３から発射するものである。ガスボンベ１０２は、ガスカートリッジが装着された状態で用いられる。このガスカートリッジは、玩具銃１０１に取り付けられる。ガスボンベ１０２は、ガスカードリッジを介してガスを玩具銃１０１へ供給する。ガスボンベ１０２は、ガスカートリッジに装着されると、ガスボンベ１０２内のガスが直ちに外部へ流出可能な状態になる。しかしながら、ガスカートリッジにはレギュレーターが設けられている。このため、ガスカートリッジを玩具銃１０１に装着しない限り、ガスがガスカートリッジの外へ流出することはない。使用者は、玩具銃１０１を使用する場合、掌でグリップ１０４を握ってトリガ１０５に指をかけ、銃口１０３を射撃対象物（例えば、的）に向ける。そして、使用者は、指を動かしてトリガ１０５を玩具銃１０１の後方側に引くことで、銃口１０３から弾丸Ｂを発射させることができる。
【００１３】
図２は、玩具銃１０１の内部構造を示す左断面図である。なお、図２、図７ないし図１１では、ガスボンベ１０２及びグリップ１０４の記載を省いている。また、以下の説明において、銃口１０３がある側を玩具銃１０１の前方側と呼ぶ。また、グリップ１０４がある側を玩具銃１０１の後方側と呼ぶ。
【００１４】
まず、玩具銃１０１の前方部分に備わる各部について説明する。玩具銃１０１には、筐体をなすフレーム１１１と、マガジン１１２と、バレル１１３と、給弾プレート１１４とを有する。本実施の形態では、マガジン１１２とバレル１１３とは、フレーム１１１から、玩具銃１０１の前方に突出している。マガジン１１２とバレル１１３は、フレーム１１１内に収まっていてもよい。
【００１５】
マガジン１１２は、一端が閉口端１１２ａとなっている円筒状の部材で、内部に弾丸Ｂを格納可能である。マガジン１１２の内部で閉口端１１２ａの内側面には、マガジンスプリング１１２ｂが取り付けられる。閉口端１１２ａとは反対側になるマガジンスプリング１１２ｂの端部には、弾丸Ｂを押すマガジンフォロワ１１２ｃが取り付けられる。弾丸Ｂは、マガジン１１２に設けられた開口部（図示せず）からマガジン１１２の内部に導入される。弾丸Ｂを収納した状態のマガジン１１２は、開口端１１２ｄを玩具銃１０１の後方に向けた状態で、フレーム１１１の前方側に装着される。本実施の形態では、マガジン１１２は、フレーム１１１に固定されている。マガジン１１２は、フレーム１１１に対し着脱自在となっていてもよい。
【００１６】
バレル１１３は、円筒状の部材である。バレル１１３の前端は、銃口１０３である。このバレル１１３の内径は、弾丸Ｂの直径と略同じである。バレル１１３は、フレーム１１１の前方側でマガジン１１２の下方に位置する。
【００１７】
給弾プレート１１４は、平板状の部材である。給弾プレート１１４は、マガジン１１２と直交する向きに向けられて、フレーム１１１の内部に配置される。給弾プレート１１４は、フレーム１１１内に配置されたガイド部材（図示せず）に支持されて、上下方向に移動自在となっている。給弾プレート１１４の前方を向く面には、フレーム１１１に取り付けられたマガジン１１２の開口端１１２ｄ側の端面と、バレル１１３の銃口１０３とは反対側の開口端１０３ａ側の端面とが当接する。
【００１８】
給弾プレート１１４は、マガジン１１２の開口端１１２ｄと対向する箇所に弾丸保持孔１１４ａを有する。この弾丸保持孔１１４ａは、弾丸Ｂを収納できる大きさの孔である。給弾プレート１１４の下端面は、給弾プレートスプリング１１５に連結する。給弾プレート１１４とは反対側になる給弾プレートスプリング１１５のもう一方の端部は、フレーム１１１の内底面１１１ａに連結する。給弾プレートスプリング１１５は、給弾プレート１１４を上方に押し上げ、弾丸保持孔１１４ａをマガジン１１２の開口端１１２ｄに対向する位置に位置付ける。
【００１９】
給弾プレート１１４は、下方に、スロープ１１４ｂを有する。スロープ１１４ｂは、玩具銃１０１の後方から前方にかけて上るよう傾斜する。そして、給弾プレート１１４は、スロープ１１４ｂの上方に、ボルト１２１（後述）の先端部分が通過できる空間１１４ｃを有する。
【００２０】
フレーム１１１に装着されたマガジン１１２内の弾丸Ｂは、マガジンスプリング１１２ｂの付勢力によってマガジンフォロワ１１２ｃに押し出され、給弾プレート１１４の弾丸保持孔１１４ａに収納される。ここで、ボルト１２１が前方へ進出し給弾プレート１１４を押し下げると、弾丸Ｂは、バレル１１３の開口端１０３ａに対向する位置に位置付けられる（図８参照）。この状態で放出バルブ１２３（後述）が圧縮ガスを前方に噴出すると、弾丸Ｂは前方に押し出され、バレル１１３の内部を通過し、銃口１０３から前方に飛び出す（図９参照）。
【００２１】
次いで、玩具銃１０１の中腹に備わる各部について、図２に基づいて説明する。玩具銃１０１は、フレーム１１１の内部に、ボルト１２１と、バルブボディ１２２と、放出バルブ１２３と、動力付与部としてのボルトスプリング１２４と、パッキン１２２ｃと、放出バルブスプリング１２９と、を備える。これらのうち、放出バルブ１２３とパッキン１２２ｃと放出バルブスプリング１２９とは、バレル１１３と気室１２６（後述）との連通箇所を開閉する弁部１３０を構成する。そして、ボルト１２１は、前後方向に一往復する間に、この弁部１３０を開閉する。
【００２２】
ボルト１２１は、玩具銃１０１の前後方向に延びる筒状の部材であり、玩具銃１０１の前後方向にスライド自在に設けられている。ボルト１２１の前方は、開口端１２１ｇになっている。ボルト１２１の後方は、閉口端１２１ｄになっている。ボルト１２１は、上面から上方に突出する凸部１２１ａを有する。ボルト１２１の開口端１２１ｇ側の下方は、前方に延出している。ボルト１２１は、この前方に延出する部分の下面に、前方スロープ１２１ｂを有する。この前方スロープ１２１ｂは、後方から前方にかけて上方に向かうよう傾斜する。また、ボルト１２１の閉口端１２１ｄには、ボルトスプリング１２４の一端が当接する。このボルトスプリング１２４の他端は、フレーム１１１の後部内側面１１１ｂに当接する。ボルトスプリング１２４は、ボルト１２１に対し、前方に押し出す推進力を付与する。そして、ボルトスプリング１２４がボルト１２１を前方に押すと、ボルト１２１は前方にスライドし、ボルト１２１の前方スロープ１２１ｂを給弾プレート１１４のスロープ１１４ｂに滑り接触させて給弾プレート１１４を下方に押し下げる。また、詳細は後述するが、前方に移動して給弾プレート１１４を押し下げた状態のボルト１２１は、貫通孔１２２ｂの内周面と摺動突起１２３ｂとの間の空隙Ｓ（後述）を通過する圧縮ガスの圧力を受けて後方に進む。ボルト１２１は、このような前進と後退とを繰り返す往復運動をする。
【００２３】
ボルト１２１は、側面に、カム溝１２１ｃを設けている。カム溝１２１ｃは、玩具銃１０１の前方に延出する部分から後方に向けられている。カム溝１２１ｃの奥行（ボルト１２１の下面からの距離）は、図２に示すように一様ではない。より詳細には、カム溝１２１ｃは、前方平坦部１２１ｈ、後方スロープ１２１ｉ、後方平坦部１２１ｊを、前方から後方に向けて順に連続して有する。また、ボルト１２１は、係止突起１２１ｆを有する。係止突起１２１ｆは、閉口端１２１ｄ側の下面から下方に延出する。また、ボルト１２１の閉口端１２１ｄの内面側には、嵌合突起１２１ｅが突出する。嵌合突起１２１ｅは、バルブボディ１２２の後端にある嵌合孔１２２ｆ（次に述べる）に嵌合する。
【００２４】
バルブボディ１２２は、フレーム１１１内に固定されて設けられている筒状の部材である。このバルブボディ１２２の外径は、ボルト１２１の内径よりも小さい。ボルト１２１が前進すると、バルブボディ１２２が、ボルト１２１の開口端１２１ｇから入りこむ。バルブボディ１２２の内空間で玩具銃１０１の前方領域には、放出バルブ１２３（後述）が前方にスライド移動するための空間１２２ｇが確保されている。また、バルブボディ１２２の後端には、後蓋１２２ａが取り付けられている。後蓋１２２ａは、バルブボディ１２２の外部と放出バルブ１２３の内部とを連通する貫通孔１２２ｂを有する。貫通孔１２２ｂの後方は、内径が大きくなっていて、嵌合孔１２２ｆとなっている。この嵌合孔１２２ｆには、バルブボディ１２２の外部から、ボルト１２１に備わる嵌合突起１２１ｅが嵌合する。また、この貫通孔１２２ｂに対しては、バルブボディ１２２の内部側から、放出バルブ１２３に備わる摺動突起１２３ｂ（後述）が入り込む。この摺動突起１２３ｂは、嵌合孔１２２ｆ側に突出する。また、後蓋１２２ａの前方を向く端面には、リング状のパッキン１２２ｃが取り付けられている。
【００２５】
バルブボディ１２２は、ガス導入部１２２ｄを有する。ガス導入部１２２ｄは、バルブボディ１２２の下面から下方に突出している。ガス導入部１２２ｄは中空になっていて、バルブボディ１２２の内空間とフレーム１１１よりも外側の空間とを連通している。このガス導入部１２２ｄは、フレーム１１１の内底面１１１ａに設けられた装着孔１１１ｃに嵌合する。その結果、ガス導入部１２２ｄの先端１２２ｅは、フレーム１１１の下方に突出する。ガスボンベ１０２（図２では図示せず）は、このガス導入部１２２ｄの先端１２２ｅに取り付けられる。そして、ガスボンベ１０２は、このガス導入部１２２ｄを介してバルブボディ１２２の内部に圧縮ガスを送り込む。
【００２６】
放出バルブ１２３は、筒状の部材であり、前方の端面は開口している。放出バルブ１２３の外径は、バルブボディ１２２の内径よりも小さい。この放出バルブ１２３は、バルブボディ１２２の内部に位置付けられて、バルブボディ１２２と放出バルブ１２３との間に気室１２６を形成する。
【００２７】
図３は、弁部１３０が閉じている状態を示す左側面図である。図３中、ドット領域は、圧縮ガスで満たされている領域を示す。弁部１３０を構成する放出バルブ１２３は、後端領域に、フランジ部１２３ａと、摺動突起１２３ｂとを有する。フランジ部１２３ａは、放出バルブ１２３の外周から放射方向に突出する。摺動突起１２３ｂは、放出バルブ１２３の後方の端面から突出する。この摺動突起１２３ｂは、後蓋１２２ａの貫通孔１２２ｂに入り込むことができる形状を有する。摺動突起１２３ｂは、貫通孔１２２ｂに入りこむと、この貫通孔１２２ｂの内周面との間に空隙Ｓを形成する。
【００２８】
放出バルブ１２３は、連通路１２３ｃを有する。連通路１２３ｃは、放出バルブ１２３の内部空間の延びる方向に対して傾斜している筒状の空間である。連通路１２３ｃの一端は、放出バルブ１２３の内部空間に連なる。連通路１２３ｃの他端の開口部は、フランジ部１２３ａと摺動突起１２３ｂとの間に現れる。
【００２９】
放出バルブ１２３の外周でその前端領域には、Ｏリング１２７とワッシャ１２８とが取り付けられる。Ｏリング１２７は、図２に示すように、ワッシャ１２８とバルブボディ１２２の内壁とに挟まれる。ワッシャ１２８は、Ｏリング１２７の後方に隣接して位置付けられる。このワッシャ１２８の後方の面には、放出バルブスプリング１２９の一端が接触する。この放出バルブスプリング１２９は、放出バルブ１２３の外周に巻きつくように配置される。そして、この放出バルブスプリング１２９の他端は、放出バルブ１２３が有するフランジ部１２３ａに接触する。放出バルブスプリング１２９は、ワッシャ１２８を押してＯリング１２７をバルブボディ１２２の内壁に押し付けている。また、放出バルブスプリング１２９は、放出バルブ１２３のフランジ部１２３ａをパッキン１２２ｃに押し付けていて、気室１２６を気密にしている。この状態では、ガス導入部１２２ｄから気室１２６に導入されたガスは、バルブボディ１２２の前後から漏れない。
【００３０】
図４は、弁部１３０が開いている状態を示す左側面図である。図４中、矢印は、圧縮ガスの動きを示す。ボルト１２１の嵌合突起１２１ｅが摺動突起１２３ｂを前方に押すと、放出バルブ１２３は前方からガスを噴出し、弾丸Ｂに圧力を与える。より詳細には、ボルト１２１がボルトスプリング１２４に押されて前方にスライドすると、ボルト１２１の嵌合突起１２１ｅが嵌合孔１２２ｆに入り込み、摺動突起１２３ｂを前方に押す。これにより、放出バルブ１２３はバルブボディ１２２内部の空間１２２ｇに向けてスライドする。その結果、放出バルブ１２３のフランジ部１２３ａは、パッキン１２２ｃから離反する。気室１２６に満たされた圧縮されたガスは、図４中の矢印に示すように、フランジ部１２３ａとパッキン１２２ｃとの間に形成された隙間から放出バルブ１２３の内部空間に流入し、放出バルブ１２３の前方に噴出して、弾丸Ｂを押し出す。
【００３１】
また、フランジ部１２３ａとパッキン１２２ｃとが離反すると、圧縮ガスは、図４中の矢印に示すように、空隙Ｓにも入り込んで貫通孔１２２ｂを通過する。この圧縮ガスは、ボルト１２１の嵌合突起１２１ｅとボルト１２１の後部内側面１１１ｂ（図２参照）とにあたって、ボルト１２１を後方に押す。
【００３２】
放出バルブ１２３が前方に動くと、放出バルブスプリング１２９は放出バルブ１２３を後方に押し返す。これにより、放出バルブ１２３が後方にスライドし、フランジ部１２３ａがパッキン１２２ｃに密接する。その結果、気室１２６は再び気密になる。気密になった状態で、気室１２６は、ガスボンベ１０２から供給された圧縮ガスで満たされる。
【００３３】
図５は、玩具銃１０１のトリガ１０５付近の内部構造を拡大して示す左側面図である。次いで、玩具銃１０１の後方部分に備わる各部について説明する。玩具銃１０１は、トリガ１０５と、回動部材としての制御板２０１と、溝カムとしての制御板回動カム２０２と、制御板回動ネイル２０３と、トリガ動作伝達部としての制御板回動ネイル押さえ２０４と、逆転防止ラッチ２０５と、トリガシア２０６と、シアバー２０７と、ボルトシア２０８と、を備える。
【００３４】
トリガ１０５は、グリップ１０４の前方に位置する。トリガ１０５は、支点１０５ａを中心に回動自在にフレーム１１１に支持され、フレーム１１１から下方に延出している。１０５ａによって、トリガ１０５は、弾丸を発射するための発射位置１０５Ａ（図７におけるトリガ１０５の位置であり、図５においては一点鎖線で示されている）と非発射位置１０５Ｂ（図５において実線で示したトリガ１０５の位置）との間で変位自在となっている。トリガ１０５は、支点１０５ａから玩具銃１０１の後方に延びる部分を有し、この部分の先端に取付軸１０５ｂを有する。取付軸１０５ｂは、トリガ１０５と逆転防止ラッチ２０５（後述）とトリガシア２０６（後述）とのそれぞれを回動自在に連結する。トリガ１０５の後方には、トリガスプリング１０５ｃが配置される。トリガスプリング１０５ｃは、フレーム１１１に取り付けられている。トリガスプリング１０５ｃは、トリガ１０５を時計回りに押し、非発射位置１０５Ｂ（図７参照）に位置付けられたトリガ１０５を発射位置１０５Ａに押し戻す。
【００３５】
図６は、制御板２０１及びシアバー２０７を示す左側面図である。制御板２０１は、フレーム１１１の内部で、トリガ１０５の前方かつ上方に位置する（図５参照）。制御板２０１は、円板状の部材である。この制御板２０１は、外周の上半分に、１０個の歯２０１ｂからなるラチェット歯車構造を有する。なお、制御板２０１は、外周の下半分に、歯２０１ｂを有しない。そして、この制御板２０１は、回動中心軸２０１ａを中心に正逆両方向に回動自在にフレーム１１１に取り付けられている。以下の説明において、図５において反時計回りとなる制御板２０１の回動方向を正方向と呼ぶ。また、図５において時計回りとなる制御板２０１の回動方向を逆方向と呼ぶ。
【００３６】
制御板２０１において、各歯２０１ｂの間には、歯間部２０１ｃが形成されている。図５中、各々の歯間部２０１ｃを、最も左側から時計回り方向に、歯間部Ａ、歯間部Ｂ、…、歯間部Ｉと呼ぶ。制御板スプリング２０１ｄ（後述）により引っ張られて静止し初期位置に位置付けられている状態の制御板２０１において、歯間部Ａは制御板回動ネイル２０３（図５参照）の駆動爪２０３ｂ（図５参照）が噛合する位置に、歯間部Ｄは逆転防止ラッチ２０５（図５参照）のストッパ爪２０５ａ（図５参照）が噛合する位置に、それぞれ位置付けられる。
【００３７】
制御板２０１は、シアバー当接部２０１ｅを有する。シアバー当接部２０１ｅは、制御板２０１の外周で、１０個の歯２０１ｂの時計回りに隣に並ぶ位置に設けられ、玩具銃１０１の側面方向に突出している。
【００３８】
回動中心軸２０１ａには、回動力付与部としての制御板スプリング２０１ｄが巻回されている。制御板スプリング２０１ｄの一端は、フレーム１１１（図５参照）の内底面１１１ａ（図５参照）に接続し、制御板スプリング２０１ｄの他端は、制御板２０１における外周と回動中心軸２０１ａとの間に接続する。制御板スプリング２０１ｄは、制御板２０１を時計回り（逆方向）に引っ張って、正方向に回動変位した制御板２０１に対し初期位置に復帰させようとする逆方向の回動力を与える。
【００３９】
シアバー２０７は、棒状の部材である。シアバー２０７は、フレーム１１１の内部で、トリガ１０５の上方に配置される。シアバー２０７は、玩具銃１０１の前後方向に延びる向きに配置され、玩具銃１０１の前後方向に移動自在となっている。シアバー２０７の前方の端面には、シアバー２０７を後方に押すシアバースプリング２０７ａが取り付けられる。また、シアバー２０７は、前方の端部に、被当接部としての突起２０７ｂを有する。突起２０７ｂは、玩具銃１０１の側面方向に突出する。この突起２０７ｂは、制御板２０１のシアバー当接部２０１ｅの回動軌跡に干渉する位置に設けられている。さらに、シアバー２０７は、後方の端部に、係止部２０７ｃを有する。この係止部２０７ｃは、突起２０７ｂがシアバー当接部２０１ｅに押されシアバー２０７が前方に移動すると、トリガシア２０６の押し上げ部２０６ｂ（後述）に突き当たる。
【００４０】
再び、図５を参照する。制御板回動カム２０２は、ボルト１２１（図２参照）の下方かつ制御板２０１の前方に位置する。制御板回動カム２０２は、回動軸２０２ａを中心に回動自在にフレーム１１１に取り付けられている。そして、制御板回動カム２０２は、回動軸２０２ａから後方に延びる形状をなし、その延びた部分の上面に凸部２０２ｂを有する。回動軸２０２ａには、制御板回動カムスプリング２０２ｃが巻回する。制御板回動カムスプリング２０２ｃは、凸部２０２ｂを含む制御板回動カム２０２の後方部分を上方に押し上げる。その結果、制御板回動カム２０２の凸部２０２ｂは、ボルト１２１のカム溝１２１ｃの内壁に接触した状態を保ち続ける。そして、ボルト１２１の前後方向への往復運動する間に、凸部２０２ｂがカム溝１２１ｃの前方平坦部１２１ｈ、後方スロープ１２１ｉ、後方平坦部１２１ｊの順に押される。その結果、制御板回動カム２０２が上下方向に往復運動する。
【００４１】
制御板回動ネイル２０３は、制御板２０１の前方に位置する。制御板回動ネイル２０３は、回動軸２０３ａを中心に回動自在に、制御板回動カム２０２に取り付けられる。この回動軸２０３ａは、制御板回動カム２０２において凸部２０２ｂの下方に当たる位置に設けられる。制御板回動ネイル２０３は、下方に駆動爪２０３ｂを有する。駆動爪２０３ｂは、玩具銃１０１の後方に向いていて、制御板２０１の各歯２０１ｂの間の歯間部Ａ〜Ｉに入り込むことができる形状を有している。ここで、制御板２０１の歯２０１ｂはラチェット歯車構造を構成することから、歯間部２０１ｃに入り込んだ駆動爪２０３ｂは、ボルト１２１が前方へ移動して制御板回動ネイル２０３が下方へ移動することによって、制御板２０１を正方向に回動変位させる。一方、歯間部２０１ｃに入り込んだ駆動爪２０３ｂは、ボルト１２１が後方へ移動して制御板回動ネイル２０３が上方へ移動しても、制御板２０１の歯２０１ｂを乗り越えて隣の歯間部２０１ｃに入り込む。すなわち、制御板回動カム２０２と制御板回動ネイル２０３とボルト１２１とは、近接状態においてボルト１２１の往復運動に応じて往復運動しその行程で制御板２０１を正方向に回動変位させるボルト動作伝達部２１２としての役割を果たす。
【００４２】
制御板回動ネイル２０３は、下方に、前方かつ玩具銃１０１の側面方向に突出する凸部２０３ｄを有する。ここで、回動軸２０３ａには、制御板回動ネイルスプリング２０３ｃが巻回する。制御板回動ネイルスプリング２０３ｃは、制御板回動ネイル２０３を反時計回りに回動させる。
【００４３】
制御板回動ネイル押さえ２０４は、側面視Ｌ字形状の部材である。制御板回動ネイル押さえ２０４は、制御板２０１の下方から前方にかける位置に配置される。制御板回動ネイル押さえ２０４の一端は、トリガ１０５に回動自在に接続される。制御板回動ネイル押さえ２０４の他端は、制御板回動カム２０２の下方に位置し、制御板回動ネイル２０３の凸部２０３ｄの後方側の面に当接する。そして、使用者がトリガ１０５を引くと、制御板回動ネイル押さえ２０４は後方へスライドし、凸部２０３ｄから離反する。その結果、制御板回動ネイルスプリング２０３ｃによって駆動爪２０３ｂは反時計回りに回動し、駆動爪２０３ｂは歯間部２０１ｃに入り込む。
【００４４】
逆転防止ラッチ２０５は、制御板２０１の上方に位置する。逆転防止ラッチ２０５は、前方にストッパ爪２０５ａを有する鉤状の部材である。逆転防止ラッチ２０５の中腹部分は、支持軸２０５ｂを介してフレーム１１１に支持され、この支持軸２０５ｂを中心に回動自在となっている。逆転防止ラッチ２０５が反時計回りに回動すると、ストッパ爪２０５ａは、制御板２０１の各歯２０１ｂの間の歯間部Ｄ〜Ｉに入り込むことができる形状を有している。ここで、制御板２０１の歯２０１ｂはラチェット歯車構造を構成することから、歯間部２０１ｃに入り込んだストッパ爪２０５ａは、正方向に回る制御板２０１の歯２０１ｂに滑り接触し、隣接する歯間部２０１ｃに入り込む。しかし、歯間部２０１ｃに入り込んだストッパ爪２０５ａは、逆方向に回る制御板２０１の歯２０１ｂにぶつかり、制御板２０１の逆方向への回動を規制する。このように、ストッパ爪２０５ａと制御板２０１の歯２０１ｂとは、逆回動防止部２１１を構成する。
【００４５】
ここで、逆転防止ラッチ２０５のストッパ爪２０５ａは、制御板回動ネイル２０３の駆動爪２０３ｂが入り込む歯間部（例えば、歯間部Ａ）に対して、歯２０１ｂを三つ挟むような歯間部（この例の場合、歯間部Ｄ）に入り込む。また、逆転防止ラッチ２０５は、支持軸２０５ｂよりも後方に延びている箇所で取付軸１０５ｂを介してトリガ１０５に連結している。そのため、使用者がトリガ１０５を引くと、逆転防止ラッチ２０５は反時計回りに回動し、ストッパ爪２０５ａを歯間部２０１ｃに噛合させる。このように、逆転防止ラッチ２０５は、トリガ動作伝達部としての役目を果たす。なお、逆転防止ラッチ２０５における取付軸１０５ｂの下方は二箇所が突出していて、そこに、逆転防止ラッチスプリング２０５ｃが当接している。逆転防止ラッチスプリング２０５ｃは、逆転防止ラッチ２０５を上方に押し上げている。
【００４６】
トリガシア２０６は、縦長の部材である。トリガシア２０６の一端側は、取付軸１０５ｂによって、トリガ１０５に回動自在に連結している。このトリガシア２０６は、他端側に、押し上げ部２０６ｂを有する。押し上げ部２０６ｂは、トリガ１０５が発射位置１０５Ａにあるときはボルトシア２０８（後述）を押圧する。この押し上げ部２０６ｂは、トリガ１０５が非発射位置１０５Ｂ（図７参照）にあるときはボルトシア２０８から離反する。ここで、取付軸１０５ｂには、トリガシアスプリング２０６ａが巻回する。トリガシアスプリング２０６ａは、トリガシア２０６を時計回りに押して、図５に示すようにトリガシア２０６を上下方向に向けている。
【００４７】
トリガシア２０６の押し上げ部２０６ｂは、シアバー２０７が（図６も参照）が前方に移動する場合にも、ボルトシア２０８から離反する。より詳細には、シアバー２０７が前方に移動すると、係止部２０７ｃ（図６も参照）が押し上げ部２０６ｂを前方に押す。その結果、トリガシア２０６は反時計回りに回動し、押し上げ部２０６ｂがボルトシア２０８から離反する。
【００４８】
ボルトシア２０８は、トリガシア２０６の上方かつボルト１２１（図２参照）の下方で、これらに挟まれる位置に設けられている。ボルトシア２０８は、軸芯２０８ｃを中心に回動自在にフレーム１１１に取り付けられる。ボルトシア２０８は、平板状の前方突出部２０８ａと、側面視扇形形状に広がる後方突出部２０８ｅとを有する。前方突出部２０８ａは、軸芯２０８ｃよりも前方に突出している。後方突出部２０８ｅは、軸芯２０８ｃよりも後方に突出する。後方突出部２０８ｅの上方は、ボルト１２１の係止突起１２１ｆ（図２参照）を止めるストッパ部２０８ｂである。後方突出部２０８ｅの下面には、ボルトシアスプリング２０８ｄが当接する。ボルトシアスプリング２０８ｄは、ボルトシア２０８を反時計回りに回動させる。このようなボルトシア２０８において、トリガシア２０６の押し上げ部２０６ｂが前方突出部２０８ａの下面を押し上げると、ストッパ部２０８ｂは下方に変位し、ボルトシア２０８は許容位置２０８Ａ（図７参照）に位置付けられる。この許容位置２０８Ａとは、ボルト１２１の係止突起１２１ｆの移動軌跡から離れてボルト１２１の前後方向の往復運動を許容する位置である。一方、トリガシア２０６がボルトシア２０８から離反すると、ボルトシアスプリング２０８ｄによってストッパ部２０８ｂが上方に変位し、ボルトシア２０８は阻止位置２０８Ｂに位置付けられる。この阻止位置２０８Ｂとは、係止突起１２１ｆの移動軌跡に干渉して、ボルト１２１の往復運動を阻止する位置である。このボルトシアスプリング２０８ｄと、トリガシア２０６と、シアバー当接部２０１ｅと、シアバー２０７と、トリガシアスプリング２０６ａとは、ボルト阻止部２１０を構成する。
【００４９】
以下、図２、図７〜図１１に基づいて、使用者がトリガ１０５を引いた場合の玩具銃１０１の各部の動きについて説明する。
【００５０】
図２を参照する。玩具銃１０１を使用する使用者は、凸部１２１ａを玩具銃１０１の後方に引く操作を行う。図２は、このようにしてボルト１２１が玩具銃１０１の後方側に位置付けられた状態の玩具銃１０１の内部構造を示している。ボルト１２１が玩具銃１０１の後方に位置付けられると、ボルト１２１の前方スロープ１２１ｂと給弾プレート１１４のスロープ１１４ｂとは離反し、給弾プレート１１４は給弾プレートスプリング１１５によって押し上げられる。その結果、給弾プレート１１４の弾丸保持孔１１４ａはマガジン１１２の開口端１１２ｄに対向する。この状態で、マガジン１１２内の弾丸Ｂは、マガジンスプリング１１２ｂの押す力によってマガジンフォロワ１１２ｃに押し出されて、給弾プレート１１４の弾丸保持孔１１４ａに押し込まれる。
【００５１】
ボルト１２１が後退する途中で、ボルト１２１の係止突起１２１ｆはボルトシア２０８のストッパ部２０８ｂの上面に当接し、このストッパ部２０８ｂを乗り越える。係止突起１２１ｆがストッパ部２０８ｂを乗り越えると、ボルトシア２０８はボルトシアスプリング２０８ｄの弾性力によって反時計回りに回る。ここで、ボルト１２１はボルトスプリング１２４の弾性力によって玩具銃１０１の前方に移動しようとする。しかし、ボルト１２１の係止突起１２１ｆは、ストッパ部２０８ｂに引っかかって、それ以上前方に進まない。
【００５２】
また、ボルト１２１が後退するにつれて、制御板回動カム２０２は制御板回動カムスプリング２０２ｃの弾性力により反時計回りに回り、凸部２０２ｂが上方に変位していく。そして、この変位に伴って、制御板回動ネイル２０３が上方に変位し、制御板回動ネイル２０３の駆動爪２０３ｂが制御板２０１の歯間部２０１ｃ（歯間部Ａ）に噛合しうる位置まで近接する。
【００５３】
図７は、図２の状態に続いてトリガ１０５が引かれてトリガ１０５が発射位置１０５Ａに位置付けられた状態の玩具銃１０１の内部構造を示す左側面図である。使用者がトリガ１０５を後方に引くと、トリガ１０５は反時計回りに回動し、トリガシア２０６を上方に変位させる。トリガシア２０６の押し上げ部２０６ｂは、ボルトシア２０８の前方突出部２０８ａの下面を押し上げて、ボルトシア２０８を時計回りに回動させる。これにより、ボルト１２１の係止突起１２１ｆとボルトシア２０８のストッパ部２０８ｂとの係止状態が解除される。その後、ボルト１２１は、ボルトスプリング１２４に押されて前方に進む。
【００５４】
また、トリガ１０５が反時計回りに回動すると、逆転防止ラッチ２０５が反時計回りに回動し、逆転防止ラッチ２０５のストッパ爪２０５ａが歯間部２０１ｃ（歯間部Ｄ）に入り込む。
【００５５】
また、トリガ１０５が反時計回りに回動すると、制御板回動ネイル押さえ２０４が後方に移動する。この移動に伴って、制御板回動ネイル２０３の駆動爪２０３ｂが制御板２０１の歯間部２０１ｃ（歯間部Ａ）に入り込む。
【００５６】
図８は、図７の状態に続いてボルト１２１が前方に移動した状態の玩具銃１０１の内部構造を示す左側面図である。ボルト１２１が前方に移動すると、前方スロープ１２１ｂの下面が給弾プレート１１４のスロープ１１４ｂを乗りあがるように滑って、給弾プレート１１４を押し下げる。給弾プレート１１４が下降すると、給弾プレート１１４の弾丸保持孔１１４ａは、バレル１１３の開口端１０３ａに対向する位置に位置付けられる。
【００５７】
ここで、制御板回動カム２０２の凸部２０２ｂは、ボルト１２１のカム溝１２１ｃの内壁に当接している。このため、制御板回動カム２０２は、ボルト１２１が前方に進むにつれて、下方に変位し、制御板回動ネイル２０３を下方に押し下げる。そして、制御板回動ネイル２０３の駆動爪２０３ｂは、制御板２０１を正方向（反時計回り）に回動させる。この制御板２０１の回動により、逆転防止ラッチ２０５のストッパ爪２０５ａは、歯間部Ｄから外れ、歯２０１ｂに沿って滑り、歯間部Ｄの時計回りに隣の歯間部Ｅに入り込む。
【００５８】
図９は、図８の状態に続いて嵌合突起１２１ｅが摺動突起１２３ｂを押した状態の玩具銃１０１の内部構造を示す左側面図である。ボルト１２１がさらに前進すると、嵌合突起１２１ｅは後蓋１２２ａの嵌合孔１２２ｆに入り込み、放出バルブ１２３の摺動突起１２３ｂを前方に押す。これにより、放出バルブ１２３のフランジ部１２３ａはパッキン１２２ｃから離れ、圧縮ガスはバルブボディ１２２の内空間を通って前方に抜けて給弾プレート１１４の弾丸保持孔１１４ａに流れる。ここで、弾丸Ｂは、バレル１１３の開口端１０３ａに対向する位置に位置付けられている。バルブボディ１２２の前方に流れてくる圧縮ガスは、弾丸Ｂの後方の側面に当たる。そして、弾丸Ｂは、圧縮ガスの圧力を受けてバレル１１３の内部を前方に移動し、銃口１０３から飛び出す。また、フランジ部１２３ａとパッキン１２２ｃとが離反すると、圧縮ガスがボルト１２１も後方に押す。
【００５９】
図１０は、図９の状態に続いてボルト１２１が後退した状態の玩具銃１０１の内部構造を示す左側面図である。ボルト１２１が圧縮ガスの圧力に押されて後方に移動すると、ボルト１２１の前方スロープ１２１ｂと給弾プレート１１４のスロープ１１４ｂとは離反する。これにより、給弾プレート１１４は給弾プレートスプリング１１５によって上方に押し上げられる。その結果、弾丸保持孔１１４ａは、マガジン１１２の開口端１１２ｄに対向する位置に位置付けられる。弾丸Ｂは、マガジンフォロワ１１２ｃに押されて、弾丸保持孔１１４ａに入り込む。
【００６０】
また、ボルト１２１が圧縮ガスの圧力に押されて後方に移動すると、制御板回動カム２０２は上方に移動する。この制御板回動カム２０２の移動に伴って、制御板回動ネイル２０３の駆動爪２０３ｂは、制御板２０１の歯間部Ａから外れ、歯２０１ｂを滑り、制御板回動ネイルスプリング２０３ｃによって歯間部Ｂに入り込む。
【００６１】
使用者がトリガ１０５を後方に引いて発射位置１０５Ａに位置付けている間、ボルトシア２０８の前方突出部２０８ａは、トリガシア２０６の押し上げ部２０６ｂによって押し上げられたままになる。その結果、ボルトシア２０８のストッパ部２０８ｂは、下方に下がる。つまり、ボルトシア２０８は許容位置２０８Ａに位置付けられる。これにより、ボルト１２１は、ボルトシア２０８に止められることなく、後退しきってからボルトスプリング１２４に押されて前進に転じる。このようにして、ボルト１２１は、ボルトスプリング１２４の弾性力及び圧縮ガスの圧力を受けて往復運動し、一往復する間に弁部１３０を開閉する。本実施の形態の玩具銃１０１では、トリガ１０５が引かれ続けた場合、ボルト１２１は、図２、図７から図１０に基づいて説明した前後方向の往復運動を、６回繰り返す。そして、玩具銃１０１は、弾丸Ｂを６発立て続けに銃口１０３から発射する。
【００６２】
本実施の形態の玩具銃１０１では、弾丸Ｂを一発発射するごとに弁部１３０の開閉が行われる。そのため、使用者は、弾丸Ｂの発射ごとにその発射による衝撃を体感することができる。そして、弾丸Ｂは、圧縮ガスの圧力で銃口１０３から飛び出す。このため、点射方式の玩具銃１０１の使用感は実銃に近いものになり、この玩具銃１０１の使用者は、実銃を用いるような使用感を得ることができる。
【００６３】
図１１は、６発目の弾丸Ｂを発射する直前の玩具銃１０１の内部構造を示す左側面図である。逆転防止ラッチ２０５は、弾丸Ｂが銃口１０３から発射され制御板２０１が反時計回りに回動するごとに制御板２０１の歯２０１ｂを乗り越え、歯間部Ｅ、歯間部Ｆ、歯間部Ｇ、歯間部Ｈ、歯間部Ｉの順に入り込み、ついにはこの歯間部Ｉから抜け出す。その後、制御板回動ネイル２０３の駆動爪２０３ｂが下方に変位して制御板２０１をさらに正方向（反時計方向）に回動させると、シアバー当接部２０１ｅは、シアバー２０７の突起２０７ｂに突き当たり、シアバー２０７を前方に動かす。シアバー２０７が前方に動くと、シアバー２０７の係止部２０７ｃは、トリガシア２０６の押し上げ部２０６ｂを前方に押し、トリガシア２０６を反時計回りに回動させる。この回動により、押し上げ部２０６ｂはボルトシア２０８の前方突出部２０８ａの下面を滑ってボルトシア２０８から離れる。その結果、ボルトシア２０８はボルトシアスプリング２０８ｄによって反時計方向に回動し、ストッパ部２０８ｂが上方に変位する。
【００６４】
この状態で、６発目の弾丸Ｂの発射後にボルト１２１が後退しきると、ボルトシア２０８のストッパ部２０８ｂが、ボルトスプリング１２４に押されて前進するボルト１２１の係止突起１２１ｆに干渉する。その結果、ボルト１２１は静止する。ここで、使用者がトリガ１０５から指を離すと、トリガスプリング１０５ｃは、トリガ１０５を時計回りに回動させ、このトリガ１０５を非発射位置１０５Ｂ（図２参照）に位置付ける。このトリガ１０５の前方への移動によって、逆転防止ラッチ２０５は時計回りに回動する。このとき、逆転防止ラッチ２０５のストッパ爪２０５ａは、制御板２０１から離反する。さらに、トリガ１０５の前方への移動によって、制御板回動ネイル押さえ２０４は前方に変位する。このとき、制御板回動カム２０２の凸部２０２ｂはボルト１２１のカム溝１２１ｃの内壁に沿って上昇する。その結果、制御板回動カム２０２は制御板回動カムスプリング２０２ｃによって反時計回りに回動し、駆動爪２０３ｂは制御板２０１から離反する。ストッパ爪２０５ａ及び駆動爪２０３ｂが制御板２０１から離反すると、制御板２０１は、制御板スプリング２０１ｄの張力によって逆方向（時計回り）に回動し、図２に示す状態まで復帰する。
【００６５】
なお、玩具銃１０１が弾丸Ｂを６発発射しきる前に使用者がトリガ１０５から指を離すと、トリガスプリング１０５ｃがトリガ１０５を非発射位置１０５Ｂに位置づけ、トリガ１０５は時計回りに回動する。この回動により、トリガシア２０６がボルトシア２０８から離反する。そして、ボルトシア２０８はボルトシアスプリング２０８ｄに押されて時計回りに回動する。その結果、ボルトシア２０８は許容位置２０８Ａから阻止位置２０８Ｂに変位する。この状態でボルト１２１が後退しきると、ボルトスプリング１２４がボルト１２１を前方に押してもストッパ部２０８ｂが係止突起１２１ｆを干渉する。すなわち、ボルト１２１が阻止される。
【００６６】
ボルトシアスプリング２０８ｄとトリガシア２０６とシアバー当接部２０１ｅとシアバー２０７とトリガシアスプリング２０６ａとは、トリガ１０５の非発射位置１０５Ｂへの変位と駆動爪２０３ｂの所定回数分の往復運動による制御板２０１の初期位置からの回動変位の少なくとも一方に応じて、ボルトシア２０８を阻止位置２０８Ｂに位置付ける。ここに、ボルトシアスプリング２０８ｄとトリガシア２０６とシアバー当接部２０１ｅとシアバー２０７とトリガシアスプリング２０６ａとは、ボルト阻止部２１３を構成する。
【００６７】
このように、本実施の形態の玩具銃１０１では、使用者がトリガ１０５を引くことにより、ボルト阻止部２１３は所定回数往復して弁部１３０の開閉を立て続けに行い、その後にボルト阻止部２１３はボルトの往復運動を阻止することで、バッテリを用いることなく点射が実現される。
【００６８】
また、一般に、圧縮ガスを用いた玩具銃では、弾丸の発射が連続して行われると、圧縮ガスが玩具銃の全体を冷やす。玩具銃が冷えると、ガスの膨張力が弱くなり、弾丸発射やブローバックが正常に行われにくくなってしまう。しかしながら、本実施の形態の玩具銃１０１では、連続発射する弾丸の数が一定数に限られている。このため、圧縮ガスによる玩具銃１０１の冷却が抑えられる。そのため、本実施の形態の玩具銃１０１では動作不良が発生しにくく、長時間にわたり玩具銃を使用することができるようになる。
【符号の説明】
【００６９】
１０５        トリガ
１０５Ａ      発射位置
１０５Ｂ      非発射位置
１１３        バレル
１２１        ボルト
１２４        ボルトスプリング（動力付与部）
１２６        気室
１３０        弁部
２０１        制御板（回動部材）
２０１ｄ      制御板スプリング（回動力付与部）
２０１ｅ      シアバー当接部
２０３        制御板回動ネイル（溝カム）
２０３ｂ      駆動爪
２０４        制御板回動ネイル押さえ（ボルト動作伝達部）
２０５        逆転防止ラッチ（ボルト動作伝達部）
２０５ａ      ストッパ爪
２０６        トリガシア
２０６ａ      トリガシアスプリング
２０７ｂ      突起（被当接部）
２０８        ボルトシア
２０８ｄ      ボルトシアスプリング
２０８Ａ      許容位置
２０８Ｂ      阻止位置
２１１        逆回動防止部
Ｂ            弾丸
【図１】
2011002200.tif 000003
【図２】
2011002200.tif 000004
【図３】
2011002200.tif 000005
【図４】
2011002200.tif 000006
【図５】
2011002200.tif 000007
【図６】
2011002200.tif 000008
【図７】
2011002200.tif 000009
【図８】
2011002200.tif 000010
【図９】
2011002200.tif 000011
【図１０】
2011002200.tif 000012
【図１１】
2011002200.tif 000013